(57)【要約】【課題】  本体内でできるだけ熱交換器を大きくし、熱交換効率の向上を図った天井埋込型空気調和機を提供する。【解決手段】    本体内に、熱交換器５ａ、５ｂ、送風ファン、補助熱交換器５ｃ、５ｄ及び除湿回路用部品７、８、３１を備えた天井埋込型空気調和機において、前記除湿回路用部品７、８、３１を直線状に形成すると共に、補助熱交換器５ｃ、５ｄ及び除湿回路用部品７、８、３１を前記熱交換器５ａ、５ｂの空気流出側に並設した。【選択図】      図５
2005016935.tif 000002
【特許請求の範囲】
【請求項１】
本体内に、熱交換器、送風ファン、補助熱交換器及び除湿回路用部品を備えた天井埋込型空気調和機において、
前記除湿回路用部品を直線状に形成すると共に、補助熱交換器及び除湿回路用部品を前記熱交換器の空気流出側に並設したことを特徴とする天井埋込型空気調和機。
【請求項２】
前記補助熱交換器は複数の放熱フィンを有し、前記除湿回路用部品を前記補助熱交換器の空気流出側放熱フィンの先端より低く設けたことを特徴とする請求項１に記載の天井埋込型空気調和機。
【請求項３】
前記補助熱交換器と除湿回路用部品は、前記熱交換器に沿ってそれぞれ上下に分けて配置したことを特徴とする請求項１または２に記載の天井埋込型空気調和機。
【発明の詳細な説明】
【技術分野】
【０００１】
本発明は空気調和機に係り、特に、天井埋込型の空気調和機に関する。
【背景技術】
【０００２】
一般に、空気調和機を室内の天井内に埋め込み、この空気調和機により前記室内の空調を行うことにより、室内のスペース効率の向上を図るようにした空気調和機が多く用いられている（例えば、特許文献１参照）。
【０００３】
このような従来の空気調和機では、本体内に熱交換器及び送風ファンが内蔵され、さらに冷媒系の部品（例えば、膨張弁、ストレーナ等）がこの本体内に配設されている。
【０００４】
これら冷媒系の部品は、従来、熱交換器の管板側の真横に冷媒配管類と一緒にまとめて配置されている。
【特許文献１】特開２００１−２３５１７４号公報
【発明の開示】
【発明が解決しようとする課題】
【０００５】
近年、空気調和機においては、特に、ＣＯＰの向上が図られており、そのため熱交換器の大きさは可能な限り大きくする必要がある一方で、空気調和機本体は小型コンパクト化が求められ、狭い本体内に大きな熱交換器を如何に効率よく収納するかが課題となっている。この場合、従来のように、熱交換器の管板側の真横に冷媒系部品を配置した構成では、これら冷媒系部品が邪魔になって、熱交換器を横方向に拡張することは無理である。
【０００６】
また、熱交換器のどの部分にどれ位の風量を当てるかという風量の配分は、熱交換効率を左右し、空気調和機を設計する上で重要な課題になっている。
【０００７】
本発明の目的は、上述した従来の課題に鑑みなされたものであり、本体内でできるだけ熱交換器を大きくし、熱交換効率の向上を図った天井埋込型空気調和機を提供することにある。
【課題を解決するための手段】
【０００８】
上記目的を達成するために、請求項１に記載の発明は、本体内に、熱交換器、送風ファン、補助熱交換器及び除湿回路用部品を備えた天井埋込型空気調和機において、前記除湿回路用部品を直線状に形成すると共に、補助熱交換器及び除湿回路用部品を前記熱交換器の空気流出側に並設したことを特徴とする。
【０００９】
請求項２に記載の発明は、請求項１に記載の天井埋込型空気調和機において、前記補助熱交換器は複数の放熱フィンを有し、前記除湿回路用部品を前記補助熱交換器の空気流出側放熱フィンの先端より低く設けたことを特徴とする。
【００１０】
請求項３に記載の発明は、請求項１または２に記載の天井埋込型空気調和機において、      前記補助熱交換器と除湿回路用部品は、前記熱交換器に沿ってそれぞれ上下に分けて配置したことを特徴とする。
【発明の効果】
【００１１】
本発明の天井埋込型空気調和機は、冷媒回路用部品を、従来のように通風路の外側でかつ熱交換器の真横の位置から、通風路内の熱交換器の空気流出側に設けたことにより、従来に比べ、熱交換器を側面外側に拡大することができ、ＣＯＰの向上を図ることができる。
【００１２】
また、除湿回路用部品の通風方向の寸法を、補助熱交換器の厚さ寸法以下にしているので、除湿回路用部品に隣接する熱交換器部分の通風量を極端に妨げないようにし、熱交換効率の極端な低下を抑えるようにしている。
【００１３】
また、除湿回路用部品と補助熱交換器を上下に分けて配置することにより、熱交換器の除湿回路用部品側を通過する部分の空気量が除湿回路用部品に遮られて少なくなり、熱交換器の補助熱交換器と重なり合う部分を通過する空気量が多くなり熱交換効率を向上させることができる。
【実施例１】
【００１４】
以下、本発明の実施の例を、図面に基づき説明する。図１は本天井埋込型空気調和機の冷凍回路図である。図１において、本冷凍回路は、圧縮機１、四方弁２、室外熱交換器３、冷房、暖房用膨張弁４、冷媒回路を２経路に分割された室内熱交換器５ａ、５ｂ、５ｃ、５ｄ、除湿用膨張弁６、ストレーナ７、キャピラリチューブ８、アキューレータ９を有し、キャピラリチューブ８及びストレーナ７が除湿用膨張弁６に対し並列に設けられ、これらの構成部品が冷媒管にて環状に接続されている。また、冷房、暖房用膨張弁４、除湿用膨張弁６は絞り量が可変でき、かつ全開状態では流路抵抗の少ない電動式の膨張弁を用いている。
【００１５】
以上のようなサイクル構成で、冷房運転時には冷房、暖房用膨張弁４の絞り量を適正に制御し、除湿用膨張弁６を全開として、冷媒が実線矢印に示すように、圧縮機１、四方弁２、室外熱交換器３、冷房、暖房用膨張弁４、室内熱交換器５ａ〜５ｄ、除湿用膨張弁（全開）６、室内熱交換器５ａ、５ｂ、四方弁２、アキューレータ９の順に循環し、冷房運転を行う。
【００１６】
また、除湿運転時には、四方弁２を冷房運転と同様に切換え、冷房、暖房用膨張弁４と除湿用膨張弁６を全閉とし、除湿用膨張弁６を全閉とすることで冷媒がキャピラリチューブ８を流れる。これにより、冷媒が圧縮機１、四方弁２、室外熱交換器３、冷房、暖房用膨張弁４、室内熱交換器（再熱器）５ａ〜５ｄ、ストレーナ７、キャピラリチューブ８、室内熱交換器（冷却器）５ａ〜５ｄ、四方弁２、アキューレータ９の順に循環し、除湿運転を行う。室内熱交換器５ａ〜５ｄは再熱器及び冷却器として作用する。
【００１７】
図２は本発明に係る天井埋込型空気調和機の一実施例を示す室内機の斜視図、図３は図２の室内機本体の分解斜視図、図４は図２の側面から見た室内機の断面図である。
【００１８】
図２において、符号１１は２方向吹出形の天井埋込型空気調和機の室内機であり、この室内機１１は本体１２と化粧パネル１３とから構成されている。本体１２は天井板Ｔの開口部に装着され、建物から垂下した４本の吊りボルトａに吊下げ具ｂが固定されて天井空間に吊下げられている。
【００１９】
前記化粧パネル１３は、中央に吸込口１４とこの吸込口１４の両端部に吹出口１５、１５とを有し、本体１２の底面に対して取り外し自在に設けられている。吸込口１４には複数の通気孔を有し、上側にエアフィルタ１６（図４参照）が配置された吸込グリル１７が取り付けられ、吹出口１５、１５には吹出方向を設定する風向調節器１８、１８が設けられている。
【００２０】
図３、図４において、本体１２内には、前記吸込口１４及び吹出口１５、１５を連通する通風路２１が形成され、この通風路内２１には４つの熱交換器５ａ〜５ｄと、送風装置である２つのクロスフローファン２２、２２と、運転を制御する電装箱２３等が収納されている。
【００２１】
前記熱交換器５ａ〜５ｄは、２つの熱交換器５ａ、５ｂと２つの補助熱交換器５ｃ、５ｄであり、それぞれ横長板状の直方体をしている。熱交換器５ａ〜５ｂは略ハの字状（ほぼ左右対称）に設けられ、補助熱交換器５ｃ、５ｄは熱交換器５ａ、５ｂの吹出口１５側のほぼ上半分にわたって配置され、各熱交換器５ａ〜５ｄ間は、冷媒管でつながれている。これら熱交換器５ａ〜５ｄは、その長手方向が本体１２の長手方向に沿って設けられており、熱交換器５ａ、５ｂの一面は、吸込口１４に対して斜め下方に面するように配置され、熱交換器５ａ、５ｂの下縁部下方には熱交換器５ａ〜５ｄからのドレンを受けるためのドレンパン２４が配設される。熱交換器５ａ〜５ｄの吹出口１５側には前記２つのクロスフローファン２２、２２が配置されている。
【００２２】
このように構成された空気調和機において、空調運転が開始されると、冷媒が冷凍回路を循環し、クロスフローファン２２、２２が運転される。これにより、破線矢印に示すように、室内の空気が吸込口１４から吸い込まれてエアフィルタ１６、熱交換器５ａ〜５ｄを通過する。熱交換器５ａ〜５ｄを通過するとき室内空気は熱交換され、熱交換された空気が吹出口１５、１５から室内へ吹き出されることにより室内が空調される。
【００２３】
ここで熱交換器に接続して設けられる除湿回路用部品について説明する。図５は熱交換器の底面図、図６は熱交換器の側面図である。図５、図６において、熱交換器５ａ〜５ｄは蛇行して配設された冷媒管に直交する複数の放熱フィン２５、２５・・を設けて作製され、各熱交換器５ａ〜５ｄの両端側には放熱フィン２５の幅と同じ幅寸法の管板２６、２６・・が設けられ、熱交換器５ａ〜５ｄの一方の端には冷媒の入口管２７と出口管２８が設けられている。熱交換器５ａ、５ｃと熱交換器５ｂ、５ｄとの間は、除湿回路用部品を介して連結されており、この除湿回路用部品は、ストレーナ７、キャピラリーチューブ８及び膨張弁６を有し、ストレーナ７及びキャピラリーチューブ８と膨張弁６とを並列に接続して構成したものである。キャピラリーチューブ８はＵ字状に折曲加工され、このキャピラリーチューブ８とストレーナ７は、冷媒管２９にて直線状に形成されている。そして除湿回路用部品は、熱交換器５ｂの空気流出側（吹出口側）で補助熱交換器５ｄの斜め下方に配置され、熱交換器５ｂの横幅いっぱいにわたり、かつ補助熱交換器５ｄの空気流出側放熱フィン２５の先端より低く設けられている。つまり、補助熱交換器５ｄの厚さ寸法（放熱フィンの幅寸法）より低くして設けられている。除湿回路用部品は熱交換器５ｂに対してパテ３１で押えて固定されている。
【００２４】
このようにキャピラリーチューブ８、ストレーナ７及びパテ３１で構成された除湿回路用部品を補助熱交換器５ｄの下方に配置することにより、熱交換器５ｂの下部を通過する部分の空気量が除湿回路用部品７、８、３１に遮られて少なくなり、熱交換器５ｂ上部の補助熱交換器５ｄと重なり合う部分を通過する空気量が多くなる。これにより、熱交換器５ｂ、５ｄに対して空気量が適度に配分されて熱交換効率を向上させることができる。
【００２５】
また、従来のように、熱交換器５ａ〜５ｄの真横に配置した除湿回路用部品７、８、３１を熱交換器５ｂの通風路側（空気流出側）に設けたことにより、熱交換器５ａ〜５ｄを、従来の通風路２１の外側であり熱交換器５ａ〜５ｄの真横側へ拡張して熱交換器５ａ〜５ｄの大型化をし、熱交換効率の向上を図ることができる。
【００２６】
以上、一実施例に基づいて本発明を説明したが、本発明は、これに限定されるものではなく、要旨を逸脱しない範囲内で変形可能である。
【００２７】
本実施例では２方向吹出形の天井埋込型空気調和機で説明しているが、１方向吹出形や３方向以上の吹出形の天井埋込型空気調和機であっても良い。
【図面の簡単な説明】
【００２８】
【図１】本発明の一実施例における天井埋込型空気調和機の冷媒回路図である。
【図２】本発明の一実施例における天井埋込型空気調和機の室内機を示す斜視図である。
【図３】図２の室内機本体を示す分解斜視図である。
【図４】図２の側面から見た室内機の断面図である。
【図５】熱交換器の底面図である。
【図６】熱交換器の側面図である。
【符号の説明】
【００２９】
１  圧縮機
２  四方弁
３  室外熱交換器
４  冷房、暖房用膨張弁
５ａ、５ｂ  室内熱交換器
５ｃ、５ｄ  補助熱交換器
６  除湿用膨張弁
７  ストレーナ（除湿回路用部品）
８  キャピラリチューブ（除湿回路用部品）
９  アキューレータ
１１  室内機
１２  本体
１３  化粧パネル
１４  吸込口
１５  吹出口
１７  吸込グリル
２１  通風路
２２  クロスフローファン（送風ファン）
２５  放熱フィン
２６  管板
３１  パテ（除湿回路用部品）
【図１】
2005016935.tif 000003
【図２】
2005016935.tif 000004
【図３】
2005016935.tif 000005
【図４】
2005016935.tif 000006
【図５】
2005016935.tif 000007
【図６】
2005016935.tif 000008